(57)【要約】【課題】電磁遮蔽性を備えるとともに、筺体の小型化を図ることができる音響調節器を提供する。【解決手段】音響調節器１は、操作パネル面１１を有する上側カバー３と、シールド部材からなる下側ケース４と、下側ケース４の上側カバー３とは反対側に取り付けられる下側カバー５とを備える筺体２を有し、筺体２の内部空間は、上側カバー３と下側ケース４とにより形成される上側空間部２１と、下側ケース４と下側カバー５とにより形成される下側空間部２２とが、下側ケース４を介して区切られ、上側空間部２１に操作子１２を有する回路基板７（第１の回路基板）が配設され、下側空間部２１に電源基板８（第２の回路基板）が配設される。【選択図】      図５
2015082722.tif 000002
【特許請求の範囲】
【請求項１】
音響調節器であって、
上側カバーと、シールド部材からなる下側ケースと、該下側ケースの前記上側カバーとは反対側に取り付けられる下側カバーとを備える筺体を有し、該筺体の内部空間は、前記上側カバーと前記下側ケースとにより形成される上側空間部と、前記下側ケースと前記下側カバーとにより形成される下側空間部とが、前記下側ケースを介して区切られ、前記上側空間部に第１の回路基板が配設され、前記下側空間部に第２の回路基板が配設されることを特徴とする音響調節器。
【請求項２】
複数の操作子を有した音響調節器であって、前記第１の回路基板は、前記複数の操作子を有する回路基板であり、前記第２の回路基板は、電源基板であることを特徴とする請求項１記載の音響調節器。
【請求項３】
前記筺体は、卓面上に載置した状態で前部に対して後部が高くなるように構成され、前記複数の操作子を有する回路基板の後部側に入出力端子が配設され、前記電源基板が該入出力端子の下方に配設されており、前記下側ケースの後方部に、前記上側空間部と前記下側空間部とを連通する連通孔が設けられていることを特徴とする請求項２記載の音響調節器。
【発明の詳細な説明】
【技術分野】
【０００１】
本発明は、オーディオ用のミキサ装置やレコーダ装置等に使用される音響調節器に関する。
【背景技術】
【０００２】
例えば、特許文献１に記載されているような可搬性を有するオーディオ用のミキサ装置やレコーダ装置のような音響調節器は、フェーダ操作子やロータリーボリューム等の多数の操作子を配した上面部と、側面部と、底面部とで囲まれた函型の筺体を備え、内部に回路基板等が収納されている。
一般に、この種の音響調節器においては、回路基板乃至電子部品が外部からの電磁ノイズの影響を受けることがないように、あるいは回路基板乃至電子部品が発する電磁ノイズが外部へ影響しないように、回路基板乃至電子部品を覆うシールド部材が配置される。
特許文献２に記載される電子機器においては、筺体の外表面の一部にシールド部材及びアース部材として機能する金属板を貼着し、その金属板の外部に露出する面を覆うゴムシートを備えることが記載されており、金属板によって回路基板の接地や電磁ノイズを遮蔽できることが記載されている。
【０００３】
このような電子機器においては、電源部が別に設けられているものが多いが、近年では、部品等の小型化や基板への高集積化の進展に伴い、電源部を一体に設けた音響調節器も増えてきている。
例えば、特許文献３に記載される音響調節器には、金属製の上部ユニットと合成樹脂で成形された下側ケースとにより形成される筺体の内部空間に、操作子基板及び入出力端子基板とともに電源基板が備えられている。この音響調節器においては、通常、卓面等に設置した状態にて操作者からみて操作子の後方（奥側）に入出力端子が配置されるとともに、操作パネル面に配設される操作子と入出力端子の部品の高さの違いから、操作子基板と入出力端子用基板が高さ方向にずれて配設され、さらに電源基板が入出力端子用基板の下方に配置されている。
【先行技術文献】
【特許文献】
【０００４】
【特許文献１】特開２００７‐２１３０９９号公報
【特許文献２】特開２００８‐１９２８００号公報
【特許文献３】特開２００８‐２０５５８２号公報
【発明の概要】
【発明が解決しようとする課題】
【０００５】
電源基板を筺体内部に備える音響調節器においては、電源基板から発生する電磁ノイズが操作子や入出力端子を備える他の回路基板に与える影響が低減するように、筺体内部において電源基板と回路基板との間を電磁的に遮蔽する必要がある。
ところが、特許文献３記載の音響調節器のように、筺体内部に操作子基板、入出力端子基板及び電源基板が前後方向及び上下方向等にずれて配置されていると、シールド部材の形状や配置が複雑となり、その設置スペースも大きくなることから、筺体の小型化の妨げになるという問題がある。
【０００６】
本発明は、このような事情に鑑みてなされたもので、電磁遮蔽性を備えるとともに、筐体構造の簡略化を図ることができる音響調節器を提供することを目的とする。
【課題を解決するための手段】
【０００７】
本発明は、音響調節器であって、操作パネル面を有する上側カバーと、シールド部材からなる下側ケースと、該下側ケースの前記上側カバーとは反対側に取り付けられる下側カバーとを備える筺体を有し、該筺体の内部空間は、前記上側カバーと前記下側ケースとにより形成される上側空間部と、前記下側ケースと前記下側カバーとにより形成される下側空間部とが、前記下側ケースを介して区切られ、前記上側空間部に第１の回路基板が配設され、前記下側空間部に第２の回路基板が配設されることを特徴とする。
【０００８】
筺体の内部空間を、シールド部材からなる下側ケースを介して上側空間部と下側空間部とに区画しているので、上側空間部に配置した電子部品と、下側空間部に配置した電子部品との間を電磁的に遮蔽することができる。
また、上側空間部と下側空間部とを一枚の平坦な下側ケースを介して区切ることができ、筺体の内部空間の構造を簡略化することができる。
さらに、下側ケースは、電磁ノイズを遮蔽するシールド板を構成するとともに、音響調節器の外装を兼ねている。したがって、従来のように、ノイズ遮蔽のためのシールド板と外装部品とを別途必要とせず、部品点数を削減することができるとともに、構成を簡単にして音響調節器の小型化を図ることができ、部品コストや製造コストの低減を図ることが可能となる。
【０００９】
本発明の音響調節器は、複数の操作子を有した音響調節器であって、前記第１の回路基板は、前記複数の操作子を有する回路基板であり、前記第２の回路基板は、電源基板であるとよい。
下側空間部に配設される電源基板から生じる電磁ノイズが下側ケースで遮断され、上側空間部側に漏れ難くなっている。したがって、音響調節器に電源基板を設けたことにより、他の回路基板に与える電磁ノイズの影響を大幅に回避することができる。
【００１０】
本発明の音響調節器において、前記筺体は、卓面上に載置した状態で前部に対して後部が高くなるように構成され、前記複数の操作子を有する回路基板の後部側に入出力端子が配設され、前記電源基板が該入出力端子の下方に配設されており、前記下側ケースの後方部に、前記上側空間部と前記下側空間部とを連通する連通孔が設けられているとよい。
【００１１】
音響調節器を卓面上に載置した状態（据え置き状態）において操作パネル面の後部側を高くなるように構成することにより操作者は操作を行い易くなるが、その一方で、高くなった後部側の筺体の内部空間に熱が溜まり易くなる。
そこで、本発明の音響調節器においては、主な熱源となる回路基板の入出力端子及び電源基板を、音響調節器の後方に配置し、操作子側の回路部分が加熱されることを回避している。
また、下側ケースの後方部に上側空間部と下側空間部とを連通する連通孔を設けることにより、上側空間部と下側空間部との空気の流通を可能としている。これにより、電源基板で加熱された空気を下側空間部から上側空間部に流すことができるとともに、操作パネル面の後部側が高くなっていることから、操作パネル面に開口した複数の端子用孔部等から空気が上方に抜け易くなっている。
したがって、回路基板の入出力端子部分や電源基板の熱が効果的に放散され、小型化された筺体の内部空間においても良好な放熱性を備えることができる。
【発明の効果】
【００１２】
本発明によれば、回路基板が配設される上側空間部と、電源基板が配設される下側空間部とを、シールド部材と外装とを兼ね備える下側ケースにより区画することとしたので、回路基板への良好な電磁遮蔽性を備えるとともに、筐体構造の簡略化を図ることができる。
【図面の簡単な説明】
【００１３】
【図１】本発明の一実施形態に係る音響調節器の斜視図である。
【図２】図１に示す音響調節器の平面図である。
【図３】図１に示す音響調節器の裏面を斜め上方からみた斜視図である。
【図４】図３に示す音響調節器において、側部パネルを取り外した状態を示す斜視図である。
【図５】図２のＡ‐Ａ線に沿う断面図である。
【図６】上側カバー、回路基板、下側ケース、取付部材、電源基板及び下側カバーの関係を示す分解斜視図である。
【図７】図５の要部断面図であり、操作子等を省略した簡略図である。
【発明を実施するための形態】
【００１４】
以下、本発明の実施形態を、図面を参照して説明する。
図１〜図３は、本発明の一実施形態に係る音響調節器１を示す図であり、いわゆるミキサ装置として構成されるものである。また、音響調節器１は、上面の操作パネル面１１に複数の操作子１２及び入出力端子１３等を有し、図示は省略するが、入出力端子１３にオーディオケーブル等を着脱自在に接続し、当該オーディオケーブル等を介して他の音響機器等の電子機器に接続された状態で使用する。なお、操作子１２及び入出力端子１３等は、概ね操作パネル面１１の全面に設けられるが、図面では一部のみ記載し、破線で省略した。
【００１５】
音響調節器１は、卓面上等に設置して据え置き使用するものであり、音響調節器１の上下方向は据え置き使用時において、操作パネル面１１がある方向を上方向とし、他方を下方向とする。また、音響調節器１の使用時においては、音響調節器１の操作パネル面１１の前面１１ｆ側にユーザ（操作者）が位置する。したがって、以降、特に断らないときは、上側カバー３の前面１１ｆ側を音響調節器１の前側、上側カバー３の後面１１ｂ側を音響調節器１の後側、前面１１ｆ側から後面１１ｂ側を向いた右方向を音響調節器１の右側、他方を音響調節器１の左側、操作パネル面１１側を音響機器１の上側あるいは表側、他方を音響調節器１の下側あるいは裏側とする。
【００１６】
音響調節器１は、図５に示すように、上側に操作パネル面１１、下側に複数の脚部１４を有する。
また、音響調節器１の筺体２は、図６に示すように、操作パネル面１１を有する上側カバー３と、その上側カバー３が取り付けられる下側ケース４と、下側ケース４の裏面側に取り付けられる下側カバー５とを備える。なお、図３に示す例では、この筺体２は、図４に示すように、これら上側カバー３、下側ケース４及び下側カバー５が組み合わされることにより、その側方も後述する底板部１５の左側面部１８Ｌ、右側面部１８Ｒ及び、下側カバー５の左側面部１６Ｌ、右側面部１６Ｒにより覆われた状態となる。図１乃至図３では、音響調節器１の意匠性を高めるため、あるいは前述の脚部１４を構成するため、筺体２の両側部に側部パネル６が取り付けられたものを例示するが、側部パネル６は適宜省略してよい。
そして、音響調節器１は、図５に示す据え置き使用時においては、脚部１４が卓面１０に当接するとともに、下側ケース４の底板部１５及び下側カバー５の載置面部１６が卓面１０に対向する。また、音響調節器１は、後部側が高く（厚く）なっており、据え置き使用時においては、ユーザにとって操作し易いように、操作パネル面１１が前部側に向かって下方に傾斜して形成される。なお、操作パネル面１１は、卓面１０に対して平行な平面となるように設置しても構わない。
【００１７】
また、図５に示すように、筺体２の内部空間は、上側カバー３と下側ケース４とにより形成される上側空間部２１と、下側ケース４と下側カバー５とにより形成される下側空間部２２とが、下側ケース４を介して区切られ、上側空間部２１に操作子１２及び入出力端子１３を有する一枚の回路基板７（本発明でいう、第１の回路基板）が配設され、下側空間部２２に電源基板８（本発明でいう、第２の回路基板）が配設される。
【００１８】
上側カバー３は、例えばアルミニウム等の金属で構成され、図６に示すように、上側カバー３の平坦な上面が操作パネル面１１とされ、この操作パネル面１１の前方部及び後方部をそれぞれ下方に屈曲させることにより、音響調節器１の前面部１７Ｆ及び後面部１７Ｂが形成されている。そして、上側カバー３は、操作パネル面１１との前後で前面部１７Ｆ及び後面部１７Ｂを屈曲形成することによって、上側カバー３の左右方向における曲げ剛性が高められている。
また、操作パネル面１１には、回路基板７に搭載された各種操作子１２や入出力端子１３を露出させるための複数の端子用孔部３１が形成されている。なお、一般的に入出力端子１３の端子高さが操作子１２よりも高いことから、操作パネル面１１は、操作子１２、入出力端子１３の部品高さに沿うように入出力端子１３の配設部分が一段高く形成されている。
なお、図６等に示すように、上側カバー３は、操作パネル面１１、前面部１７Ｆ及び後面部１７Ｂを一体として形成するものとしたが、１つ乃至複数の部材を組み合わせて上側カバー３を構成してもよい。
【００１９】
下側ケース４は、例えば鉄又はステンレス等の電磁波に対するシールド部材で構成される金属製であり、図６に示すように、回路基板７の背面に沿って形成された平坦な底板部１５と、底板部１５の左右側部をそれぞれ上方に屈曲させることにより形成された左側面部１８Ｌ及び右側面部１８Ｒとが設けられている。
また、底板部１５から突設される左側面部１８Ｌ及び右側面部１８Ｒの各側面部１８Ｌ，１８Ｒの上部は、前後方向に沿って左右方向外側に屈曲させることにより、それぞれフランジ部４１が延設形成されている。各側面部１８Ｌ，１８Ｒにフランジ部４１が前後方向全長にわたって形成されているので、前後方向における曲げ剛性を高めることができ、これにより、下側ケース４自体の前後方向の剛性も高められている。この下側ケース４の底板部１５は、上側カバー３の操作パネル面１１とほぼ同じ大きさに形成され、上側カバー３の下方に固定されることで、前述した上側空間部２１が区画形成される。
【００２０】
そして、底板部１５には、回路基板７の固定用支柱４３が複数立設されており、底板部１５の固定用支柱４３の上端面に回路基板７が固定されるようになっている。また、下側ケース４の左右側面部１８Ｌ，１８Ｒの内面には、回路基板７の周縁部を支持する複数の突出部を配設してもよい（図示略）。この取付構造により、回路基板７は、底板部１５の上方に底板部１５と略平行に配設される。
【００２１】
なお、回路基板７には、図５に示すように、操作子１２が複数配設され、操作子１２は、上側カバー３の操作パネル面１１において上方に露出している。操作子１２には、ミキサ装置としての機能設定部品１２ａ（スイッチ類、ロータリーボリューム等）やフェーダ装置のフェーダ操作子１２ｂ等が配置される。また、回路基板７の後部に配設される入出力端子１３の上端部は、上側カバー３の操作パネル面１１の後部において上方に露出している。
【００２２】
また、下側ケース４の上側カバー３の反対側には、入出力端子１３の下方に位置する後半部分に、電源基板８が下側カバー５内に収容された状態に配設される。
下側カバー５は、図４に示すように、下側ケース４の底板部１５の前後方向における後半部分に、左右方向のほぼ全幅にわたって設けられる。また、下側カバー５は、例えば鉄又はステンレス等のシールド部材により形成され、図６に示すように、平坦な載置面部１６と、載置面部１６の左右側部及び前部をそれぞれ上方に屈曲させることにより、左側面部１６Ｌ及び右側面部１６Ｒ、前面部１６Ｆが形成されており、上側カバー３の後面部１７Ｂと下側カバー５とにより、電源基板８が覆われた状態とされる。
また、載置面部１６は、操作パネル面１１に対して傾斜して形成されており、音響調節器１の据え置き使用時において、載置面部１６が卓面１０に平行となるように設けられることにより、操作パネル面１１が前面１１ｆ側に向かって下り勾配に傾斜して設置される。なお、操作パネル面１１は、卓面１０に対して平行な平面となるように設置しても構わない。
【００２３】
下側カバー５の載置面部１６から突設される左側面部１６Ｌ及び右側面部１６Ｒ、前面部１６Ｆの各面部１６Ｌ，１６Ｒ，１６Ｆの各上部は、その長手方向に沿って外側に屈曲させることにより、それぞれフランジ部５１が延設形成されている。下側カバー５は、これらフランジ部５１により曲げ剛性が高められるとともに、フランジ部５１を介して下側カバー５が底板部１５に固定されるようになっている。
なお、電源基板８は、図５に符号９で示す取付部材を介して下側カバー５に対して固定され、下側カバー５及び上側カバー３の後面部１７Ｂにより、周囲を囲われた状態とされる。そして、電源基板８は、取付部材９および後面部１７Ｂ及び左右側面部１６Ｌ，１６Ｒ、前面部１６Ｆによって四方を覆われるとともに、底板部１５及び載置面部１６によって上下方向が覆われた状態で配設される。なお、取付部材９をシールド部材により形成してもよい。
【００２４】
また、傾斜した底板部１５の後半部分の裏面に下側カバー５が取り付けられることにより、図５に示すように、音響調節器１の裏面部に、底板部１５と下側カバー５の前面部１６Ｆとにより、前端近傍から後半部の途中までが上方に凸となる凹部１９が形成される。この凹部１９は、下側ケース４の左右方向全幅にわたって形成され、音響調節器１の据え置き状態において左右の外方に連通して設けられる。
【００２５】
以上のように構成される音響調節器１の筺体２の内部空間は、上側カバー３と下側ケース４とにより形成される上側空間部２１と、下側ケース４と下側カバー５とにより形成される下側空間部２１とが、下側ケース４を介して区画形成されており、回路基板７と電源基板８とは、下側ケース４の底板部１５によって隔てられた上側空間部２１と下側空間部２２とにそれぞれ配設される。
一方、下側ケース４には、底板部１５の後方部分で、取付部材９の配設位置よりも後方位置に、図６及び図７に示すように、上側空間部２１と下側空間部２２とを連通する連通孔４４が１つ乃至複数設けられており、上側空間部２１と下側空間部２２との空気の流通が可能となっている。なお、連通孔４４の形態は、図６に示すような複数の丸穴または方形の形状に限定されるものではなく、例えばスリットにより形成することもでき、配置及び形状は回路部品が発する熱の排熱経路を考慮したうえで任意に設定することができる。さらに、連通孔の一部または全てを上側空間部２１に配置した回路基板７等と下側空間部２２に配置した電源基板８等とを電気的に接続するケーブルの導通孔として機能させてもよい。また、下側カバー５の左右側面部１６Ｌ，１６Ｒ及び載置面部１６には、放熱スリット５３が配設され、外部との空気の流通が可能となっている。なお、放熱スリット５３の配設箇所は、これに限定されるものではない。
また、載置面部１６に放熱スリット５３を配設する場合、脚部１４は、音響調節器１を卓面上等に設置した状態で、音響調節器１の底面と卓面との間に換気用の隙間を空けるべく設けるようにすることが好ましいが、その形態は図５に示す脚部１４の形態に限定されるものではない。
【００２６】
このように構成された音響調節器においては、筺体２の内部空間を、シールド部材からなる下側ケース４を介して上側空間部２１と下側空間部２２とに区画しており、下側空間部２２に配設される電源基板８から生じる電磁ノイズが下側ケース４で遮断されるようになっている。このため、電源基板８から生じる電磁ノイズが上側空間部２１側に漏れ難くなっている。したがって、音響調節器１に電源基板８を設けたことによる回路基板７に与える電磁ノイズの影響を大幅に回避することができる。
なお、アルミニウム等で構成される上側カバー３は、電界に対してシールド効果を有している。
【００２７】
また、操作子１２及び入出力端子１３を一枚の平坦な回路基板７に配設しているので、上側空間部２１と下側空間部２２とを一枚の平坦な下側ケース４を介して区切ることができ、筺体２の内部空間の構造を簡略化することができる。
さらに、下側ケース４は、電磁ノイズを遮蔽するシールド板を構成するとともに、音響調節器１の外装を兼ねている。したがって、従来のように、ノイズ遮蔽のためのシールド板と外装部品とを別途必要とせず、部品点数を削減することができるとともに、構成を簡単にして音響調節器１の小型化を図ることができ、部品コストや製造コストの低減を図ることが可能となる。
【００２８】
また、音響調節器１は、据え置き使用時において操作パネル面１１の後部側が高くなるように構成することにより、ユーザは操作を行い易くなっているが、その一方で、高くなった後部側の筺体２の内部空間に熱が溜まり易くなっている。
本実施形態の音響調節器１においては、電源基板８が主な熱源となるが、図７に白抜き矢印で示すように、下側ケース４の後方部に形成された連通孔４４により、電源基板８で加熱された空気を下側空間部２２から上側空間部２１に流すことができるとともに、操作パネル面１１の後部側を高くしたことから、操作パネル面１１に開口した複数の端子用孔部３１等の開口部から加熱された空気が開放され易くなっている。なお、操作パネル面１１に、端子用孔部３１等以外に、別の放熱孔を設けてもよい。
【００２９】
さらに、下側カバー５に形成された放熱スリット５３から流入する外気が、底板部１５に設けられる連通孔４４から上側空間部２１に流れ、空気の円滑な流れが自然に生じ易くなっており、操作パネル面１１に開口した複数の端子用孔部３１等から空気が上方に抜け易くなっている。
したがって、電源基板８及び回路基板７の入出力端子１３部分を効果的に冷却することができ、小型化された筺体の内部空間においても良好な放熱性を備えることができる。
【００３０】
なお、本発明は、上記実施形態に限定されるものではなく、本発明の趣旨を逸脱しない範囲において種々の変更を加えることが可能である。
例えば、上記実施形態では、筐体２の上側空間部２１に操作子１２及び入出力端子１３を有する一枚の回路基板７を配設し、下側空間部２２に電源基板８を配設したが、これに限定されるものではない。本発明は、上側空間部２１に配置した電子部品（第１の回路基板）と、下側空間部２２に配置した電子部品（第２の回路基板）との電磁的影響を遮蔽する目的に対して適用可能なものであり、下側空間部２２には、電源基板８に代えて（あるいは併設して）高周波で動作するデジタル信号処理回路等を配置した基板を配設してもよいし、上側空間部２１には、上記実施形態にて例示した回路基板７に代えて（あるいは併設して）異なる種類の回路部品等を配置した基板を配設してもよい。
また、筐体２を構成する各部材も金属製に限らない。樹脂成型部品に対して、電磁波に対するシールド部材として機能する金属膜等で内面を被覆あるいは貼り付けることにより構成してもよい。
【符号の説明】
【００３１】
１…音響調節器、２…筺体、３…上側カバー、４…下側ケース、５…下側カバー、６…側部パネル、７…回路基板（第１の回路基板）、８…電源基板（第２の回路基板）、９…取付部材、１０…卓面、１１…操作パネル面、１１ｆ…前面、１１ｂ…後面、１２…操作子、１２ａ…機能設定部品、１２ｂ…フェーダ操作子、１３…入出力端子、１４…脚部、１５…底板部、１６…載置面部、１６Ｆ…前面部、１６Ｌ…左側面部、１６Ｒ…右側面部、１７Ｆ…前面部、１７Ｂ…後面部、１８Ｌ…左側面部、１８Ｒ…右側面部、１９…凹部、２１…上側空間部、２２…下側空間部、３１…端子用孔部、４１…フランジ部、４３…固定用支柱、４４…連通孔、５１…フランジ部、５３…放熱スリット
【図１】
2015082722.tif 000003
【図２】
2015082722.tif 000004
【図３】
2015082722.tif 000005
【図４】
2015082722.tif 000006
【図５】
2015082722.tif 000007
【図６】
2015082722.tif 000008
【図７】
2015082722.tif 000009